(57)【要約】【課題】針１１８を有する注射器１１４を受容するハウジング１１２を有する注入装置１１０であって、注射器は、注射器キャリヤー１５０の中で支持される、注入装置を提供する。【解決手段】注射器１１４および注射器キャリヤー１５０は、針１１８が出口孔１２８を通ってハウジング１１２から延びる延出位置から、針が出口孔を通って延びていない後退位置まで、戻しバネ１２６により付勢される。駆動バネ１３０が、注射器１１４をその後退位置から延出位置まで前進させ、かつ針１１８を通して注射器の中身を放出するように、駆動装置を介して作用し、駆動装置が名目上の戻し位置に達したときに活動される戻しバネ１２６は、注射器１１４をその後退位置に戻す。注射器キャリヤー１５０は、注射器の後方への動きを制限するように設計され、このため、注入装置は、先行技術の装置よりも故障しにくく、かつ構成要素を損傷しにくい。【選択図】図２ｂ
2009538664.tif 000002
【特許請求の範囲】
【請求項１】
注入装置において、
注射器を受容するように構成されたハウジングであって、前記注射器は、前記注射器の第１の端部において放出ノズルを有し、前記注射器は、前記放出ノズルが前記ハウジング内に収容される後退位置と、前記放出ノズルが出口孔を通って前記ハウジングから延びる延出位置との間で移動可能である、ハウジングと、
前記注射器をその後退位置から延出位置まで前進させ、かつ前記放出ノズルを通して前記注射器の中身を放出するように、前記注射器に作用する、駆動装置と、
前記注射器が前進するときに前記注射器を支えるための注射器キャリヤーであって、前記注射器キャリヤーは、前記放出ノズルが中を延びる第１の端部、および前記第１の端部の反対側の第２の端部を有する、注射器キャリヤーと、
を含み、
前記注射器キャリヤーは、前記注射器キャリヤーの前記第１の端部から前記注射器キャリヤーの前記第２の端部の方向に、前記注射器が前記注射器キャリヤーに対して動くことを制限するように構成されている、注入装置。
【請求項２】
請求項１に記載の注入装置において、
前記注射器は、前記注射器の前記第１の端部の反対側の、前記注射器の第２の端部においてフランジを含む、注入装置。
【請求項３】
請求項２に記載の注入装置において、
前記注射器キャリヤーは、その第２の端部において、前記注射器キャリヤーの前記第１の端部から前記注射器キャリヤーの前記第２の端部の方向に、前記注射器が前記注射器キャリヤーに対して動くことを制限する手段を含む、注入装置。
【請求項４】
請求項３に記載の注入装置において、
前記動くことを制限する手段は、前記注射器がわずかな距離を越えて前記注射器キャリヤーに対して動くことを防ぐために、前記注射器キャリヤー上に少なくとも１つの突起を含む、注入装置。
【請求項５】
請求項４に記載の注入装置において、
各前記突起は、前記注射器の前記フランジに対して並置するように構成されており、これにより、前記注射器の前記注射器キャリヤーに対するすべての動きを防ぐ、注入装置。
【請求項６】
請求項４に記載の注入装置において、
各前記突起の下側は、前記フランジの上にわずかな距離を置いて位置付けられる、注入装置。
【請求項７】
請求項３に記載の注入装置において、
前記動くことを制限する手段は、少なくとも１つの制動要素を含む、注入装置。
【請求項８】
請求項３に記載の注入装置において、
前記制動要素は、前記注射器キャリヤーの前記第２の端部から前記第１の端部の方向に前記注射器を付勢するように配列されている、注入装置。
【請求項９】
請求項８に記載の注入装置において、
前記制動要素は、弾性材料から形成された付勢手段を含む、注入装置。
【請求項１０】
請求項９に記載の注入装置において、
前記付勢手段は、弾性材料の弧の形をとっており、
前記弧の各端部は、前記注射器キャリヤーに取り付けられており、前記弧の外凸面は、前記注射器の前記フランジと並置している、注入装置。
【請求項１１】
請求項７〜１０のいずれか１項に記載の注入装置において、
前記注射器キャリヤーは、前記注射器の前記中身が放出された後、前記注射器に作用することから前記駆動装置を解放するための、ラッチ解除機構を含み、
前記制動要素は、前記ラッチ解除機構に位置する、注入装置。
【請求項１２】
請求項１１に記載の注入装置において、
前記ラッチ解除機構は、環状部分の形をとっており、前記環状部分は、駆動要素を前記駆動装置から分離するために前記駆動要素と連結するように構成されている、注入装置。
【請求項１３】
請求項１〜１２のいずれか１項に記載の注入装置において、
前記放出ノズルは、皮下注射針を含み、
前記注射器は、前記針の上に、除去可能な針遮蔽物を含む、注入装置。
【請求項１４】
注入装置において、
実質的に、添付の図面を参照して述べられ、かつ前記添付の図面に示されたもののような、注入装置。
【発明の詳細な説明】
【開示の内容】
【０００１】
〔発明の分野〕
本発明は、注射器を受容し、出口孔を通して注射器を延ばし、注射器の中身を放出し、その後、注射器を自動的に後退させるタイプの注入装置に関する。
【０００２】
〔発明の背景〕
この一般的な説明の装置が、国際公開第９５／３５１２６号、および欧州特許出願公開第０５１６４７３（Ａ）号に示されており、このような装置は、駆動バネと、何らかの形の解放機構であって、注射器の中身が放出されたと考えられたら駆動バネの影響から注射器を解放して、戻しバネにより注射器が後退されることを可能にする、解放機構と、を用いる傾向がある。
【０００３】
しばしば、このような注入装置は、もともとは手動で使用するように設計された、ガラス製の、予め満たされた注射器と共に働くことを必要とされる。このようなガラス製の注射器は、その基部にフランジを有して、使用者が、注射器と、針であって、その針を通して注射器の中身が排出されうる、針とをつかむことを可能にする。使用前に、針は、概して針遮蔽物で覆われており、針遮蔽物は、プラスチックもしくはゴム材料のものであってよい。針遮蔽物自体は、剛性のハウジングに収容されてよく、このハウジングは、注入装置のキャップ内でつかまれる。よって、注入装置のキャップが使用者により除去されると、針遮蔽物もまた除去されて、針を延ばし、かつ針を露出するように装置が操作されることを可能にする。針遮蔽物は、針を機械的損傷から保護し、かつ針の滅菌性を維持するように作用する。
【０００４】
実際には、注射器は、例えば注射器および注入装置の製作公差により、注入装置の中で所定の場所に強固に保持されない場合がある。特に、注射器は、注入装置内で後方に、すなわち出口孔から離れるように、動くことができる場合がある。針遮蔽物は、注入装置の前端部で所定の場所に強固に保持されている装置のキャップ内でつかまれているので、装置が落下するか、もしくは不都合な外部の荷重にさらされると、注射器は、針遮蔽物が注射器の針から切り離されるように、後方に動く場合がある。滅菌されていないかもしれない環境に針がさらされるので、このことは望ましくない。針はまた、針遮蔽物の保護がないので損傷されるかもしれない。
【０００５】
〔発明の概要〕
本発明の注入装置は、前述の問題に対処するように設計される。
【０００６】
本発明の第１の態様によると、本発明は、注入装置であって、
注射器を受容するように構成されたハウジングであって、注射器は、注射器の第１の端部において放出ノズルを有し、注射器は、放出ノズルがハウジング内に収容される後退位置と、放出ノズルが出口孔を通ってハウジングから延びる延出位置との間で移動可能である、ハウジングと、
注射器をその後退位置から延出位置まで前進させ、かつ放出ノズルを通して注射器の中身を放出するように、注射器に作用する、駆動装置と、
注射器が前進するときに注射器を支えるための注射器キャリヤーであって、注射器キャリヤーは、放出ノズルが中を延びる第１の端部、および第１の端部の反対側の第２の端部を有する、注射器キャリヤーと、
を含み、
注射器キャリヤーは、注射器キャリヤーの第１の端部から注射器キャリヤーの第２の端部の方向に、注射器が注射器キャリヤーに対して動くことを制限するように構成されている、注入装置を提供する。
【０００７】
このようにして、注射器、およびその放出ノズルは、注入装置内での後方への移動により生じる損傷から保護されうる。
【０００８】
注射器は、注射器の第１の端部の反対側の、注射器の第２の端部においてフランジを含むことができる。
【０００９】
注射器キャリヤーは、その第２の端部において、注射器キャリヤーの第１の端部から注射器キャリヤーの第２の端部の方向に、注射器が注射器キャリヤーに対して動くことを制限する手段を含むことができる。
【００１０】
動くことを制限する手段は、注射器が注射器キャリヤーに対して動くことを防ぐために、注射器キャリヤー上に少なくとも１つの突起を含むことができる。この突起は、変形可能であってよい。
【００１１】
このようにして、注射器は、製造中、注射器キャリヤーに容易に挿入されることができ、その後、後方への動きを防ぐように注射器のフランジにおいて強固に保持される。
【００１２】
各突起は、注射器のフランジに対して並置するように構成されている。
【００１３】
代わりに、動くことを制限する手段は、少なくとも１つの制動要素を含む。
【００１４】
このようにして、衝撃力の震動が注射器に沿って伝達されて注射器に損傷を生じないように、注射器が注射器キャリヤーの中で動くことが阻まれ、かつ制限される。
【００１５】
制動要素は、注射器キャリヤーの第２の端部から第１の端部の方向に、注射器を付勢するように配列される。したがって、衝撃力が注入装置の端部からくると、注射器の後方への動きは、制動要素により吸収されうる。
【００１６】
制動要素は、弾性材料から形成された弾性付勢手段を含むことができる。特に、弾性付勢手段は、弾性材料の弧の形をとっていてよく、弧の各端部は、注射器キャリヤーに取り付けられ、弧の外凸面は、注射器のフランジと並置する。
【００１７】
このようにして、付勢手段は、容易に製造するために（for eas of manufacture）注射器キャリヤーと一体に成型されうる。
【００１８】
好ましくは、注射器キャリヤーは、注射器の中身が放出された後、注射器に作用することから駆動装置を解放するための、ラッチ解除機構（delatch mechanism）を含み、弧の各端部は、ラッチ解除機構に取り付けられている。
【００１９】
ラッチ解除機構は、環状部分の形であってよく、この環状部分は、駆動要素を駆動装置から分離するために、駆動要素と連結するように構成されている。
【００２０】
放出ノズルは、皮下注射針を含み、注射器は、針の上に、除去可能な針遮蔽物を含む。この実施形態では、注射器キャリヤーは、注射器の後方への動きを防ぐように構成されており、衝撃力が注入装置に加えられた場合に、針遮蔽物は、注射器から除去されないようになっている。このことは、例えば装置が硬い面の上に落下した場合に、注射器の放出ノズルが滅菌されていない環境にさらされることを防ぐ。加えて、注射器が後方へ動くと、注射器に接続している放出ノズルの完全性シール（integrity seal）が妨害されうる。本発明は、この問題を克服する。
【００２１】
本発明は、添付の図面を参照して、例として以下に説明される。
【００２２】
〔発明の詳細な説明〕
図１ａおよび図１ｂは、注入装置ハウジング１１２を有する、注入装置１１０を示す。注入装置１１０は、除去可能なキャップ１９０を有する。キャップ１９０が除去された状態で、図２に示されるように、ハウジング１１２の端部が出口孔１２８を有するのを見ることができ、この出口孔１２８を通って、スリーブ１１９の端部が現れることができる。注入装置１１０は、トリガー１８０も有する。
【００２３】
図２ａおよび図２ｂに示されるように、ハウジング１１２は、従来型の皮下注射器１１４を収容しており、この注射器は、注射器本体１１６であって、貯蔵部を定め、かつ一端部においては（不図示の）皮下注射針で、他端部においてはフランジ１２０で、終端している、注射器本体１１６を含む。皮下注射針は、針遮蔽物１１８により覆われている。針遮蔽物１１８は、キャップ１９０の内側で固定されている。
【００２４】
注射器本体１１６は、貯蔵部の長さに沿って直径がほぼ一定であり、皮下注射針で終端する注射器の端部に近接して直径が著しく小さくなるものである。駆動要素１３４（注射器ピストン）は、針１１８を通して注射器１１４の中身を放出するように、注射器の栓（bung）を通じて作用する。この駆動要素１３４は、（注射器に入れられた）薬剤を、注射器本体１１６により画定された貯蔵部の中で無理に投与させる。例示された注射器は、皮下型のものであるが、必ずしもこのようにする必要はない。経皮注射器、もしくは弾道的な、真皮注射器および皮下注射器（Transcutaneous or ballistic dermal and subcutaneous syringes）もまた、本発明の注入装置と共に用いられうる。
【００２５】
ハウジング１１２は、スリーブ１６０と一体に形成された、ケース突端（case nose）１１３を含む。スリーブ１６０は、注射器キャリヤー１５０を囲み、注射器キャリヤー１５０は、スリーブ１６０の中を、その長さ方向軸に沿って動くことができる。
【００２６】
例示されるように、注射器１１４は、注射器キャリヤー１５０の中に収容されている。注射器キャリヤー１５０は、第１の端部１５１、および直径が縮小された部分（reduced diameter section）１５１ａを有する。注射器キャリヤーの、この部分１５１ａは、皮下注射針に最も近い、注射器１１４の端部を支持する。注射器キャリヤー１５０は、ベアリング面１５３を含み、このベアリング面１５３上には、戻しバネ１２６の端部が位置している。戻しバネ１２６は、針１１８がハウジング１１２の孔１２８から延びる延出位置から、針１１８がハウジング１１２の中に収容される後退位置まで、注射器キャリヤー１５０を介して注射器１１４を付勢する。
【００２７】
注射器が機能しなくなるか、もしくは破損した場合、長さに沿って注射器１１４を実質的に囲む注射器キャリヤー１５０は、注射器の破損した断片を収容し、それら断片が注入装置から出る可能性を減少させるであろう。
【００２８】
ハウジング１１２は、トリガー１８０、および本明細書では圧縮駆動バネ１３０の形をとる駆動装置も含む。駆動バネ１３０からの推進力（Drive）は、多構成の駆動装置（multi-component drive）（１１８ａ）を介して、注射器１１４の駆動要素１３４へ伝達されて、注射器をその後退位置から延出位置まで前進させ、かつ針１１８を通して注射器の中身を放出する。駆動装置は、注射器１１４および注射器の中の薬剤に直接作用することにより、この仕事を達成する。注射器キャリヤー１５０のベアリング面１５３がスリーブ１６０の対向するベアリング面１６１に対して近づいたときに戻しバネ１２６が完全に圧縮される（bottoms out）まで、駆動要素１３４と注射器本体１１６との間の静止摩擦は、当初は、注射器１１４および栓の双方が共に前進することを確実にする。
【００２９】
トリガー１８０は、出口孔１２８から離れたハウジング１１２上に設けられている。トリガーは、操作されると、駆動バネ１３０が作用する駆動スリーブ１３１をハウジング１１２から切り離すのに役立ち、駆動バネ１３０の影響下で、駆動スリーブ１３１がハウジング１１２に対して動くことを可能にする。装置の操作は、以下のとおりである。
【００３０】
キャップ１９０は、ねじって引っ張る動作で、もしくは単にキャップを引っ張ることによって、使用者により除去されうる。必要とされる厳密な動作は、使用されている注射器１１４のタイプによって決まる。一実施形態では、注射器１１４は、針が入れられている（不図示の）ゴム製の覆い部を収容する、剛性の針遮蔽物１１８を含むであろう。この実施形態では、針遮蔽物１１８は、装置１１０の長さ方向軸に沿ってキャップ１９０を引っ張ることにより除去される必要があるにすぎない。代替実施形態では、注射器１１４は、プラスチック製の針遮蔽物１１８を含み、このプラスチック製の針遮蔽物１１８は、壊れやすい接続部により注射器１１４に対して保持されている。壊れやすい接続部を破損するために、キャップ１９０は、まずねじられて、次に装置１１０の長さ方向軸に沿って引っ張られなければならない。端部キャップ（end cap）１１３上のガイド要素１９１が、針遮蔽物１１８を除去するのに必要とされる方法でキャップ１９０を除去するのをガイドするのに役立つ。
【００３１】
針遮蔽物１１８がキャップ１９０の内側で保持されるので、キャップ１９０の除去により、針遮蔽物が除去され、これにより、注入装置内で注射器１１４の針が露出される。このとき、針は依然としてハウジング１１２により取り囲まれている。
【００３２】
最初は、注射器キャリヤー１５０および注射器１１４は、弾性ラッチ部材１６２により動くことを妨げられる。スリーブ１１９をハウジング１１２の中へ向かう方向に動かすことにより、ラッチ部材１６２は、外側に動き、注射器キャリヤー１５０から外れる。いったんラッチ部材１６２が注射器キャリヤー１５０から外れると、注射器１１４および注射器キャリヤー１５０は、自由に動ける。
【００３３】
トリガー１８０は次に、使用者により押し下げられてよく、駆動バネ１３０が解放される。駆動バネ１３０は、駆動スリーブ１３１を動かし、ピストン１３４は、静止摩擦、および投与されるべき薬剤を通じて作用する静水学的な力により、戻しバネ１２６の作用に対抗して注射器本体１１４を動かす。注射器本体１１４は、注射器キャリヤー１５０を動かし、これにより、戻しバネ１２６が圧縮される。皮下注射針１１８は、ハウジング１１２の出口孔１２８から現れる。これは、戻しバネ１２６が完全に圧縮されるか、もしくは注射器本体１１６がその運動を妨害する（不図示の）何らかの他の障害物に当たるまで、続く。第２の駆動要素１３４と注射器本体１１６との間の静止摩擦、および投与されるべき薬剤１２４を通じて作用する静水学的な力は、駆動バネ１３０により発生される全駆動力に抵抗するのに十分ではないので、この時点で、第２の駆動要素１３４は、注射器本体１１６の中で動き始め、かつ薬剤は放出され始める。
【００３４】
本発明の一実施形態が図３ａおよび図３ｂに描かれている。注射器キャリヤーは、その第１の端部１５１の反対側の、注射器キャリヤー１５０の第２の端部１５８から延びる２つのアーム１７２と共に示されている。図３ｂに示されるように、注射器１１４は、注射器本体１１６に取り付けられた、注射器の後端部におけるフランジ１２０を有する。フランジ１２０の下側１７５は、アーム１７２に位置する１つ以上の支持突起１７０と並置しており、各支持突起は、フランジ１２０の下側１７５のための支持界面となって、装置の操作中に注射器が前方へ動くことを防ぐ。
【００３５】
各アーム１７２は、制止突起１７２も含み、この制止突起は、注射器１１４の注射器キャリヤー１５０に対する後方の方向Ｒへの動き（すなわち、注射器キャリヤー１５０の第１の端部１５１から第２の端部１５８の方向への動き）を防ぐように、制止面１７３と共に寸法が決められ、かつ成形されている。各制止面１７３は、フランジの上面１７６と協調することにより、後方への動きを防ぐ。製造中に注射器１１４を注射器キャリヤー１５０に挿入した後、制止面１７３とフランジ１２０の上面１７６との間にわずかな分離（nominal separation）があるかもしれない。このわずかな分離は、放出ノズルが使用中に完全に延ばされたときの放出ノズルの衝撃を和らげるように、注射器１１４が後方の方向Ｒにいくらか動くことを可能にし、これにより、装置の使用者に対する苦痛が軽減される。
【００３６】
装置１１０の製造中、注射器１１４は、最初にその放出ノズルを、注射器キャリヤー１５０の第２の端部１５８における開口部に通して挿入することにより、注射器キャリヤー１５０に挿入される。フランジ１２０の下側１７５は、突起１７１を通り越すことを名目上は妨げられる。突起１７１は、それらの頂面において傾斜しており、このことは、フランジ１２０の下側１７５が突起１７１を越えて押されたときに、アーム１７２が離れて、結局、突起１７１は、もはや注射器１１４が注射器キャリヤー１５０内に動くことを妨げず、かつ突起の制止面１７３は、注射器キャリヤー１５０の中で注射器１１４が後方に動くことを妨げることを意味する。
【００３７】
本発明の代替実施形態が図４ａおよび図４ｂに示されている。この実施形態では、注射器キャリヤー１５０は、前述したように、アーム１７２、および支持突起１７０を含む。注射器キャリヤーは、解放機構２５０も含み、この解放機構２５０は、注射器１１４がその延出位置に達したときに駆動スリーブ１３１が解放機構２５０を越えて動くと、駆動スリーブ１３１をピストン１３４から解放するように作用する。このようにして、注射器１１４に対する駆動バネ１３０の力は、注射器がその延出位置に達すると解放され、その後、注射器１１４は後退させられることができる。
【００３８】
解放機構２５０は、アーム１７２の（不図示の）開口部と係合した突出部２６０により、注射器キャリヤー１５０のアーム１７２に取り付けられる。
【００３９】
解放機構２６０は、２つの制動要素２７０を含み、この２つの制動要素２７０はそれぞれ、弧の各端部がピボット点Ｐで解放機構２５０に接続された材料の弧の形（form of an arc of material）をとっている。制動要素２７０は、解放機構２５０の対向する側面にある。制動要素２７０はそれぞれ、材料の弾性、および点Ｐで形成されたレバーアームの結果として、点Ｐの周りを弾力的に旋回することができる。制動要素２７０は、解放機構２５０の本体に向かう方向Ｒに、弾力的に旋回することができ、反対側の方向に付勢をもたらす。このようにして、解放機構２５０が突出部２６０によりアーム１７２に強固に接続されている場合、製造中に注射器１１４を挿入した後、各弧の凸部Ｃが、フランジ１２０の上面１７６と並置する。したがって、注射器１１４が注射器キャリヤー１５０内で方向Ｒに動くことが阻まれる。
【００４０】
このようにして、衝撃力により生じる注射器１１４の急な動きは、制動要素２７０により吸収される。制動要素２７０がこのような注射器の動きを徐々に吸収するので、フランジ１２０が破砕しうる可能性が減る。さらに、針遮蔽物１１８は、放出ノズル上の所定の場所にとどまり、一方、注射器に接続している放出ノズルの完全性シールは、注射器１１４の急な後方への動きが阻まれるので、妨害されなくなる。
【００４１】
本発明は、単に例として前述されており、詳細の改変が本発明の範囲内で行われうることが当然理解されるであろう。
【００４２】
〔実施の態様〕
（１）  注入装置において、
注射器を受容するように構成されたハウジングであって、前記注射器は、前記注射器の第１の端部において放出ノズルを有し、前記注射器は、前記放出ノズルが前記ハウジング内に収容される後退位置と、前記放出ノズルが出口孔を通って前記ハウジングから延びる延出位置との間で移動可能である、ハウジングと、
前記注射器をその後退位置から延出位置まで前進させ、かつ前記放出ノズルを通して前記注射器の中身を放出するように、前記注射器に作用する、駆動装置と、
前記注射器が前進するときに前記注射器を支えるための注射器キャリヤーであって、前記注射器キャリヤーは、前記放出ノズルが中を延びる第１の端部、および前記第１の端部の反対側の第２の端部を有する、注射器キャリヤーと、
を含み、
前記注射器キャリヤーは、前記注射器キャリヤーの前記第１の端部から前記注射器キャリヤーの前記第２の端部の方向に、前記注射器が前記注射器キャリヤーに対して動くことを制限するように構成されている、注入装置。
（２）  実施態様１に記載の注入装置において、
前記注射器は、前記注射器の前記第１の端部の反対側の、前記注射器の第２の端部においてフランジを含む、注入装置。
（３）  実施態様２に記載の注入装置において、
前記注射器キャリヤーは、その第２の端部において、前記注射器キャリヤーの前記第１の端部から前記注射器キャリヤーの前記第２の端部の方向に、前記注射器が前記注射器キャリヤーに対して動くことを制限する手段を含む、注入装置。
（４）  実施態様３に記載の注入装置において、
前記動くことを制限する手段は、前記注射器がわずかな距離を越えて前記注射器キャリヤーに対して動くことを防ぐために、前記注射器キャリヤー上に少なくとも１つの突起を含む、注入装置。
（５）  実施態様４に記載の注入装置において、
各前記突起は、前記注射器の前記フランジに対して並置するように構成されており、これにより、前記注射器の前記注射器キャリヤーに対するすべての動きを防ぐ、注入装置。
【００４３】
（６）  実施態様４に記載の注入装置において、
各前記突起の下側は、前記フランジの上にわずかな距離を置いて位置付けられる、注入装置。
（７）  実施態様３に記載の注入装置において、
前記動くことを制限する手段は、少なくとも１つの制動要素を含む、注入装置。
（８）  実施態様３に記載の注入装置において、
前記制動要素は、前記注射器キャリヤーの前記第２の端部から前記第１の端部の方向に前記注射器を付勢するように配列されている、注入装置。
（９）  実施態様８に記載の注入装置において、
前記制動要素は、弾性材料から形成された付勢手段を含む、注入装置。
（１０）  実施態様９に記載の注入装置において、
前記付勢手段は、弾性材料の弧の形をとっており、
前記弧の各端部は、前記注射器キャリヤーに取り付けられており、前記弧の外凸面は、前記注射器の前記フランジと並置している、注入装置。
【００４４】
（１１）  実施態様７〜１０のいずれかに記載の注入装置において、
前記注射器キャリヤーは、前記注射器の前記中身が放出された後、前記注射器に作用することから前記駆動装置を解放するための、ラッチ解除機構を含み、
前記制動要素は、前記ラッチ解除機構に位置する、注入装置。
（１２）  実施態様１１に記載の注入装置において、
前記ラッチ解除機構は、環状部分の形をとっており、前記環状部分は、駆動要素を前記駆動装置から分離するために前記駆動要素と連結するように構成されている、注入装置。
（１３）  実施態様１〜１２のいずれかに記載の注入装置において、
前記放出ノズルは、皮下注射針を含み、
前記注射器は、前記針の上に、除去可能な針遮蔽物を含む、注入装置。
（１４）  注入装置において、
実質的に、添付の図面を参照して述べられ、かつ前記添付の図面に示されたもののような、注入装置。
【図面の簡単な説明】
【００４５】
【図１ａ】図１ａは、本発明による注入装置の側面図を示す。
【図１ｂ】図１ｂは、本発明による注入装置の側面図を示す。
【図２ａ】図２ａは、外側のハウジングがない、図１に示された注入装置の部品の拡大側面図を示す。
【図２ｂ】図２ｂは、図示されている注入装置の特定の内部構成要素がない、図１に示された注入装置の部品の拡大側面図を示す。
【図３ａ】図３ａは、本発明の第１の実施形態における注射器キャリヤーの斜視図を示す。
【図３ｂ】図３ｂは、本発明の第１の実施形態における注射器キャリヤーの斜視図を示す。
【図４ａ】図４ａは、本発明の第２の実施形態における注射器キャリヤーの一実施形態の斜視図を示す。
【図４ｂ】図４ｂは、本発明の第２の実施形態における注射器キャリヤーの一実施形態の斜視図を示す。
【図１ａ】
2009538664.tif 000003
【図１ｂ】
2009538664.tif 000004
【図２ａ】
2009538664.tif 000005
【図２ｂ】
2009538664.tif 000006
【図３ａ】
2009538664.tif 000007
【図３ｂ】
2009538664.tif 000008
【図４ａ】
2009538664.tif 000009
【図４ｂ】
2009538664.tif 000010
【国際調査報告】
2009538664.tif 000011
2009538664.tif 000012
2009538664.tif 000013
2009538664.tif 000014